(57)【要約】【課題】  簡単な操作で再封時に開封表示を顕在化させる構成と、自動組立に便宜な構成を備える包装用箱及びその展開シートの提供。【解決手段】  四側面の筒状に折り曲げられた四側板及び副側板５と、前記筒状の開口部を封じる封鎖板を備え、開封口を封じる封鎖板は、前記副側板５、当該副側板５の表面に貼着された端側板１、及び当該副側板５及び端側板１と対向する中側板３の端縁に各々フラップ９，６，７を備え、他の二側板２，４のいずれかの端縁に開閉板８を備え、前記副側板５のフラップ９は、その表面に開封済表示を備え、前記端側板１のフラップ６は、その表面に未開封表示を備え、前記端側板１とそのフラップ６との境界線に分断線δが穿設され、前記開閉板８は、開封前において前記未開封表示を露出し、当該未開封表示を備えるフラップが除去された後の再封後は前記開封済表示を露出する切欠き部を備える包装用箱。【選択図】      図１
2020175917.tif 000002
【特許請求の範囲】
【請求項１】
一枚の展開シートを直方体状に組立ててなる包装用箱であって、
四側面を持つ筒状に折り曲げられた四側板及び副側板と、前記筒状の開口部を封じる封鎖板を備え、
開封口となる前記開口部を封じる封鎖板は、前記副側板、当該副側板の表面に貼着された端側板、及び当該副側板及び端側板と対向する中側板の端縁から各々延出するフラップを備えると共に、他の二側板のいずれかの端縁から延出する開閉板を備え、
前記副側板から延出するフラップは、その表面に開封済表示を備え、
前記端側板から延出するフラップは、その表面に未開封表示を備え、
前記端側板と当該端側板から延出するフラップとの境界線に副って破断線が穿設され、
前記開閉板は、開封前において前記未開封表示を露出し、当該未開封表示を備えるフラップが除去された後の再封後は前記開封済表示を露出する切欠き部を備えることを特徴とする包装用箱。
【請求項２】
前記開閉板は、前記開封口の全域を閉じる閉鎖部と、当該閉鎖部の先端縁から延出し当該開閉板が延出する側板と対向する反対側板の端縁部に挿し入れられる挿込部を備えることを特徴とする請求項１に記載の包装用箱。
【請求項３】
直方体状の包装用箱に組み立てられる一連の展開シートであって、
四側面を持つ筒状に折り曲げられる四側板と、前記四側板を筒状に保形するための糊代となる副側板と、組立後において当該筒状の開口部を封じる封鎖板を備え、
開封口となる前記開口部を封じる封鎖板は、前記副側板、組立時において当該副側板の表面に貼着される端側板、及び組立後において当該副側板及び端側板と対向する中側板の端縁から各々延出するフラップを備えると共に、他の二側板のいずれかの端縁から延出する開閉板を備え、
前記副側板から延出するフラップは、その表面に開封済表示を備え、
前記端側板から延出するフラップは、その表面に未開封表示を備え、
前記端側板と当該端側板から延出するフラップとの境界線に副って破断線が穿設され、
前記開閉板は、開封前において前記未開封表示を露出し、当該未開封表示を備えるフラップが除去された後の再封後は前記開封済表示を露出する切欠き部を備えることを特徴とする包装用箱の展開シート。
【請求項４】
前記開閉板は、前記開封口の全域を閉じる閉鎖部と、当該閉鎖部の先端縁から延出し当該開閉板が延出する側板と対向する反対側板の端縁部に挿し入れられる挿込部を備えることを特徴とする請求項３に記載の包装用箱の展開シート。
【発明の詳細な説明】
【技術分野】
【０００１】
本発明は、開封されたことを表示する機能を一体的に備える包装用箱及びその展開シートに関するものである。
【背景技術】
【０００２】
医薬品などを内包する包装用箱の分野では、異物の混入を回避する上で再封機能を備えることが望ましく、更に、内包物の内容や品質が損なわれない様に、開封表示機能及び改竄防止機能（以下「開封表示機能等」という）が付されることが求められる。
これまで紹介されている開封表示機能等は、箱の一部を剥がして開封表示を露出させる手法（下記特許文献１又は特許文献２参照）や、フラップを脱出させて開封表示を露出させる手法などが採られている（下記特許文献３又は特許文献４参照）。
【０００３】
また、開封後にあっては、内容物を包装用箱から取り出し、例えば、ＰＴＰ（Press Through Package）シートの状態で調剤棚に保管する場合に、当該ＰＴＰシートを包装用箱に印刷された情報と結びつけるため、包装用箱の特定の部分をタグとして切り取り、当該ＰＴＰシートに添付し又は調剤棚所定の保管位置に貼り付けるなどの措置が取られているものが少なくない。
従って、前記開封表示機能等の存在が、包装用箱の一部にタグを備えることの支障とならない構成であることが好ましい。
【先行技術文献】
【特許文献】
【０００４】
【特許文献１】特開２００５−２９８０４９号公報
【特許文献２】実用新案登録第３２０６１２５号公報
【特許文献３】実用新案登録第３１９４８３４号公報
【特許文献４】実用新案登録第３２０６１９９号公報
【発明の概要】
【発明が解決しようとする課題】
【０００５】
しかしながら、従来の手法のように開封表示機能等を発揮させるために別途操作を必要とする構成では、開封表示機能を発揮させる操作の懈怠などによって、せっかくの開封表示機能が有効に発揮されないという問題がある。
殊に、特許文献１乃至特許文献３の手法は、開封表示機能を発揮させる際に、三辺以上を破断する操作が必要となり比較的煩雑であるという問題がある。
また、前記特許文献３及び特許文献４の手法では、再封操作の度に開封表示を顕在化させる操作が別途必要となるという問題もある。
加えて、自動組立を行う際の支障とならない様に、展開シートに特殊な構成を具備しない構成を採ることも求められるところである。
【０００６】
本発明は、上記実情に鑑みてなされたものであって、簡単な操作で再封時に開封表示を顕在化させる構成と、自動組立に便宜な構成を備える包装用箱及びその展開シートの提供を目的とする。
【課題を解決するための手段】
【０００７】
上記課題を解決するために為された本発明による包装用箱は、一枚の展開シートを直方体状に組立ててなる包装用箱であって、四側面を持つ筒状に折り曲げられた四側板及び副側板と、前記筒状の開口部を封じる封鎖板を備え、開封口となる前記開口部を封じる封鎖板は、前記副側板、当該副側板の表面に貼着された端側板、及び当該副側板及び端側板と対向する中側板の端縁から各々延出するフラップを備えると共に、他の二側板のいずれかの端縁から延出する開閉板を備え、前記副側板から延出するフラップは、その表面に開封済表示を備え、前記端側板から延出するフラップは、その表面に未開封表示を備え、前記端側板と当該端側板から延出するフラップとの境界線に副って破断線が穿設され、前記開閉板は、開封前において前記未開封表示を露出し、当該未開封表示を備えるフラップが除去された後の再封後は前記開封済表示を露出する切欠き部を備えることを特徴とする。
【０００８】
上記課題を解決するために為された本発明による包装用箱の展開シートは、直方体状の包装用箱に組み立てられる一連の展開シートであって、四側面を持つ筒状に折り曲げられる四側板と、前記四側板を筒状に保形するための糊代となる副側板と、組立後において当該筒状の開口部を封じる封鎖板を備え、開封口となる前記開口部を封じる封鎖板は、前記副側板、組立時において当該副側板の表面に貼着される端側板、及び組立後において当該副側板及び端側板と対向する中側板の端縁から各々延出するフラップを備えると共に、他の二側板のいずれかの端縁から延出する開閉板を備え、前記副側板から延出するフラップは、その表面に開封済表示を備え、前記端側板から延出するフラップは、その表面に未開封表示を備え、前記端側板と当該端側板から延出するフラップとの境界線に副って破断線が穿設され、前記開閉板は、開封前において前記未開封表示を露出し、当該未開封表示を備えるフラップが除去された後の再封後は前記開封済表示を露出する切欠き部を備えることを特徴とする。
【０００９】
前記開閉板は、例えば、前記開封口の全域を閉じる閉鎖部と、当該閉鎖部の先端縁から延出し当該開閉板が延出する側板と対向する反対側板の端縁部に挿し入れられる挿込部を備える構成を採ることができる。
【発明の効果】
【００１０】
本発明による包装用箱及びその展開シートによれば、未開封時においては、切欠き部から未開封表示を露出し、副側板の端縁に設けた破断線で未開封表示を備えるフラップを切り離す作業だけで開封表示機能を発揮させることができるため、開封表示機能を発揮させる操作の懈怠などが生じ難く、開封表示機能が有効に発揮させることができるという利点がある。
【００１１】
また、本発明では、再封操作の度に開封表示を顕在化させる操作が別途必要となることもなく、開閉板の挿込部を挿し入れするという通常の再封操作のみで開封表示を確実に顕在化させることができる。
しかも、自動組立を行う際の支障となる特殊な構成も不要であり、自動組立に対応しつつ、取り外し可能にタグを付設するなど、様々な要請に応じて多様な設計変更も可能となる。
【図面の簡単な説明】
【００１２】
【図１】本発明による包装用箱の一例を示す（Ａ）：開封時（Ｂ）：再封時における平面図である。
【図２】本発明による包装用箱の一例を示す（Ａ）：封鎖時（Ｂ）（Ｃ）：開封時における平面図である。
【図３】本発明による包装用箱の一例を示す封鎖時における（Ａ）：平面図及び（Ｂ）：底面図である。
【図４】本発明による包装用箱の一例を示す封鎖時における（Ａ）：正面図及び（Ｂ）：背面図である。
【図５】本発明による包装用箱の一例を示す封鎖時における（Ａ）：左側面図及び（Ｂ）：右側面図である。
【図６】本発明による包装用箱の展開シートの一例を示す表面図である。
【発明を実施するための形態】
【００１３】
以下、本発明による包装用箱の実施の形態を、その展開シートの実施の形態と共に詳細に説明する。
以下に示す本発明による包装用箱の例は、一枚の展開シートを直方体状に組み立てそのいずれかの面に開封口を設けてなる包装用箱である。
当該包装用箱は、副側板（糊代板）５により筒状に連結した方形状の四側板１，２，３，４並びに当該四側板に囲まれた開口部を封じる封鎖板を備え、それらに囲まれた内空部を形成する。
【００１４】
＜展開シート＞
上記包装用箱を形作る展開シートは、厚紙からなる一連の展開シートであって、四側面を持つ筒状に折り曲げられる左側板（端側板）１、後側板２、右側板（中側板）３及び前側板（反対側板）４を一列に連ねた四側板と、前記左側板１の裏面に貼着されることによって当該四側板の両側端を連結し当該筒状を維持する副側板５と、当該筒状の開封口を封じる上封鎖板及び下開口部を封じる底板を備える（図６参照）。
前記四側板１，２，３，４及び副側板５は、それぞれ同じ高さの方形状に設定され、対向する二側板はそれぞれ同じ寸法に設定されている。
【００１５】
前記四側面のうちの対向する二側面を構成する左側板１及び右側板３は、上端縁から各々延出する左上フラップ６及び右上フラップ７を備えると共に、下端縁から各々延出する左下フラップ１０及び右下フラップ１１を備える。
前記左側板１の裏面に貼着される前記副側板５は、その上端縁から延出する副フラップ９を分断線δを介して備える。
【００１６】
前記左側板１は、その上端部及び下端部を残して切取り可能なタグ部１４を備える。
前記タグ部１４は、上下一対の横破断線α，βと、前記左側板１と後側板２との境界線に副って穿設された縦破断線γに囲まれ、当該タグ部１４の側縁の上部に摘み部１４ａを備える。
前記タグ部１４は、その摘み部１４ａを引くことで、上横破断線α、縦破断線γ、下横破断線βの順で破断することを予定しているため、前記摘み部１４ａを介して加えられる力に伴う破断軌道を安定させるべく各破断線α，β，γに異なる形態が採られている。
【００１７】
前記縦破断線γは、弱い力で正確に破断され、且つ切断面を比較的美しく見せるために、細かい切込が千鳥配置で連続する切込が採用されている。
一方、前記上横破断線α及び下横破断線βにあっては、への字状に屈曲した切り込みが間欠的に等間隔で配置された切込であって、上横破断線αにあっては、前記摘み部１４ａの引き剥がしに伴う後方下向きへの破断力をへの字状の短辺で迎え、その破断軌道を当該への字状の長辺で当該タグ部１４の輪郭（上辺）に乗せるように、下横破断線βにあっては、前記摘み部１４ａの引き剥がしに伴う前方下向きへの破断力をへの字状の短辺で迎え、その破断軌道を当該への字状の長辺で当該タグ部１４の輪郭（下辺）に乗せるように穿設されている。
【００１８】
一方、他の対向二側板、即ち、前記四側板から前記左側板１及び右側板３を除いて残る側板の一方を構成する後側板２は、上端縁から延出する開閉板８を備えると共に、下端縁から延出する下層底板１３を備え、他方を構成する前側板４は、下端縁から延出する上層底板１２を備える。
前記前側板４は、その上端部の中央に、開封時に破断されるコの字状の開封破断線ｐを備え、前記後側板２は、その下端部の中央に、当該包装用箱を解体する際に破断される円弧状の解体破断線ｑを備える。
前記開封破断線ｐ及び前記解体破断線ｑは、加圧により破断し易いミシン目状の切込である。
【００１９】
前記左上フラップ６及び右上フラップ７は、前記開閉板８の最寄りの側縁部を、当該開閉板８の奥行きの全域に亘って裏側から支持する長さと幅を備える台形状に裁断されている。
前記左上フラップ６は、その表面に「未開封」の文字が記された未開封表示を備え、前記副フラップ９は、その表面に「開封済」の文字が記された開封済表示を備える。
前記左上フラップ６と左側板１との境界線に穿設された分断線δは、引っ張ることにより破断し易い目の細かいミシン目状の切込である。
【００２０】
前記左下フラップ１０及び右下フラップ１１は、ともに、前記上層底板１２及び下層底板１３の最寄りの側縁部を、当該上層底板１２及び下層底板１３の奥行きの全域に亘って裏側から支持する長さと幅を備える方形状に裁断されている。
前記左下フラップ１０及び右下フラップ１１の延出長は、相互に重なることがない様に、前記前側板４又は後側板２の幅の半分未満に設定されている。
前記上層底板１２は、下開口部の全域を覆う方形状に設定され、前記下層底板１３は、延出長が前記上層底板１２よりも僅かに短い方形状に設定されている。
【００２１】
前記左上フラップ６、右上フラップ７及び副フラップ９並びに前記開閉板８は、前記開封口を封じる上封鎖板として機能し、前記左下フラップ１０及び右下フラップ１１並びに前記下層底板１３及び上層底板１２は、前記下開口部を封じる底板として機能する。
【００２２】
前記開閉板８は、前記筒状の開封口の全域を閉じる閉鎖部８ａと、当該閉鎖部８ａの先端縁の全域から先窄まりの台形状に延出した挿込部８ｂを備え、前記閉鎖部８ａは、その側縁部に、前記左上フラップ６に記載された未開封表示、及び前記副フラップ９に記載された開封済表示を露出する切欠き部８ｃを備える。
【００２３】
[組み立て]
前記展開シートは、先ず、前記前側板４と前記副側板５の境界線で折り重ね、次に、同じ方向へ前記右側板３と前記後側板２の境界線で折り重ね、前記左側板１の上部及び下部の裏面と副側板５の上部及び下部の表面を貼着する。
次に、前記左側板１、前記後側板２、前記右側板３、前記前側板４及び前記副側板５の各々の境界線ですべて同じ方向へ直角に屈曲するように展開させ、展開シート全体を四側面を備えた筒状に立体化する。
【００２４】
続いて、前記底板として、前記左下フラップ１０及び前記右下フラップ１１を下開口部側へ直角に折曲げ、その上に前記下層底板１３を下開口部側へ直角に折曲げ、更にその上に前記上層底板１２を直角に折曲げて接着し、筒状に立体化した展開シート（以下「箱体」という）の下開口部を封鎖する。
【００２５】
当該箱体に商品等を装填した上で、最後に、前記上封鎖板として、前記副フラップ９、左上フラップ６及び前記右上フラップ７を開口部側へ直角に折曲げ、その上に、前記開閉板８を開口部側へ直角に折曲げると共に、その挿込部８ｂを前記前側板４の裏側に挿し入れ、前記挿込部８ｂの表面を前記前側板４の開封破断線ｐに囲まれた押込み部１５の内側の裏面に貼着し前記箱体の上開口部を封鎖する。
以上の工程によって、前記左上フラップ６の表面に付された未開封表示が前記開閉板８の切欠き部８ｃから露出する（図２（Ａ）参照）。
【００２６】
[開封]
上記の如く封鎖された包装用箱は、前記前側板４に設けられた前記開封破断線ｐに囲まれている押込み部１５を指先で押し入れ、当該開閉板８を後方へ押し上げることによって、前記開封破断線ｐが正確に破断され、それらが一体の蓋となって後方へ起立し開封される（図１又は図２参照）。
開封後は、直ちに前記左上フラップ６を前記分断線δで切り取る。
【００２７】
[再封]
再封時は、封鎖時と同様に、前記副フラップ９及び前記右上フラップ７を開口部側へ直角に折曲げ、その上に、前記開閉板８を開口部側へ直角に折曲げると共に、その挿込部８ｂを前記前側板４の裏側に挿し入れることにより前記箱体の上開口部を再封する。
以上の工程によって、前記副フラップ９の表面に付された開封済表示が前記開閉板８の切欠き部８ｃから露出する（図１（Ｂ）参照）。
【００２８】
なお、この発明は上記実施例に限定されるものではなく、前記副側板５は、前記端側板１の裏側に貼着され、前記副側板５から延出する副フラップ９は、その表面に開封済表示を備え、前記端側板１から延出するフラップ６は、その表面に未開封表示を備え、前記端側板１と当該端側板１から延出するフラップ６との境界線に副って分断線δが穿設され、前記開閉板８は、開封前において、前記未開封表示を露出し、当該未開封表示を備えるフラップ６が除去された後は前記開封済表示を露出する切欠き部８ｃを備える構成を採る限りにおいて、前記上封鎖板、四側面、底板又は副側板５の具体的な形状などを適宜変更することができる。
また、包装用箱の材質は、紙やプラスチック等、自由に選択可能である。折曲げ線や切込の態様も、前記機能を損なわない限りにおいて適宜変更可能である。
【符号の説明】
【００２９】
ｐ  開封破断線，ｑ  分解破断線，
α  （上）横破断線，β  （下）横破断線，γ  縦破断線，δ  分断線，
１  左側板，２  後側板，３  右側板，４  前側板，５  副側板，
６  左上フラップ，７  右上フラップ，
８  開閉板，８ａ  閉鎖部，８ｂ  挿込部，８ｃ  切欠き部，
９  副フラップ，  １０  左下フラップ，１１  右下フラップ，
１２  上層底板，１３  下層底板，
１４  タグ部，１４ａ  摘み部，
１５  押込み部，
【図１】
2020175917.tif 000003
【図２】
2020175917.tif 000004
【図３】
2020175917.tif 000005
【図４】
2020175917.tif 000006
【図５】
2020175917.tif 000007
【図６】
2020175917.tif 000008